(57)【要約】【課題】商品陳列のスペースを、任意に、多様に、自由に、区画してデザインすることができ、しかも、構造が簡単である止部材およびディスプレイを提供することにある。【解決手段】本発明は、止部材１には、ロッド棒２を挿通する複数本のロッド棒挿通部としての孔部１０と、ロッド棒２を孔部１０の壁面に圧接して固定するねじ部材３をねじ込む複数本のねじ孔部１２と、がそれぞれ設けられている。この結果、本発明は、商品陳列のスペースを、任意に、多様に、自由に、区画してデザインすることができ、しかも、構造が簡単である止部材１およびディスプレイ１００を提供することができる。【選択図】        図１
2019097693.tif 000002
【特許請求の範囲】
【請求項１】
商品陳列用ディスプレイを組み立てるための止部材であって、
前記止部材には、ロッド棒を挿通する複数本のロッド棒挿通部と、前記ロッド棒を前記ロッド棒挿通部の壁面に圧接して固定するねじ部材をねじ込む複数本のねじ孔部と、がそれぞれ設けられている、
ことを特徴とする商品陳列用ディスプレイの止部材。
【請求項２】
商品陳列用ディスプレイを組み立てるための止部材であって、
前記止部材には、板を挟む複数本の板挟み部と、前記板を前記板挟み部の壁面に圧接して固定するねじ部材をねじ込む複数本のねじ孔部と、がそれぞれ設けられている、
ことを特徴とする商品陳列用ディスプレイの止部材。
【請求項３】
商品陳列用ディスプレイを組み立てるための止部材であって、
前記止部材には、ロッド棒を挿通する１本または複数本のロッド棒挿通部と、板を挟む１本または複数本の板挟み部と、前記ロッド棒を前記ロッド棒挿通部の壁面に圧接して固定するねじ部材をねじ込む複数本のねじ孔部、および、前記板を前記板挟み部の壁面に圧接して固定するねじ部材をねじ込む複数本のねじ孔部と、がそれぞれ設けられている、
ことを特徴とする商品陳列用ディスプレイの止部材。
【請求項４】
前記の請求項１に記載の商品陳列用ディスプレイの止部材と、
複数本のロッド棒と、
複数本のねじ部材と、
を備える、
ことを特徴とする商品陳列用ディスプレイ。
【請求項５】
前記の請求項２に記載の商品陳列用ディスプレイの止部材と、
複数枚の板と、
複数本のねじ部材と、
を備える、
ことを特徴とする商品陳列用ディスプレイ。
【請求項６】
前記の請求項３に記載の商品陳列用ディスプレイの止部材と、
１本または複数本のロッド棒と、
１枚または複数枚の板と、
複数本のねじ部材と、
を備える、
ことを特徴とする商品陳列用ディスプレイ。
【発明の詳細な説明】
【技術分野】
【０００１】
本発明は、商品陳列用ディスプレイを組み立てるための止部材、すなわち、商品陳列用ディスプレイの止部材（以下、「止部材」と称する）に関する。また、本発明は、商品陳列用ディスプレイ（以下、「ディスプレイ」と称する）に関する。
【背景技術】
【０００２】
止部材およびディスプレイとしては、たとえば、以下の特許文献１がある。特許文献１のフックバー取付式回転ハンガーは、ディスプレイであって、係止具と、商品吊下具（回転式フック陳列具）と、を有するものである。
係止具は、止部材であって、商店の壁面やボードから突出したフックバーに、係止ネジを圧接させることにより固定される。商品吊下具は、放射状に配置された複数本の吊下棒を有し、吊下用ビス、スペーサおよび蝶ネジを介して、係止具に回動自在に保持される。商品は、吊下棒に吊下げられて円形に陳列される。
【０００３】
ここで、技術分野が異なるが、参考として、以下の特許文献２の組立式立体骨組構造について説明する。
特許文献２の組立式立体骨組構造は、同一形状のコネクタ組立部材を３個用いて組立式立方体コネクタを組み立てて、組立式立方体コネクタの第１骨組部材挿通孔、第２骨組部材挿通孔に骨組部材を挿通し、ねじ部材で骨組部材を組立式立方体コネクタに固定するものである。
【先行技術文献】
【特許文献】
【０００４】
【特許文献１】実用新案登録第３００２４１２号公報
【特許文献２】特開２０１２−１６３１５８号公報
【発明の概要】
【発明が解決しようとする課題】
【０００５】
しかしながら、特許文献１のフックバー取付式回転ハンガーは、係止具および係止ネジを介して商品吊下具を、フックバーの突出方向の一方向にしか固定できない。この結果、特許文献１のフックバー取付式回転ハンガーは、商品陳列のスペース（空間）がフックバーの突出方向の一方向にしか得られない。すなわち、特許文献１のフックバー取付式回転ハンガーは、商品陳列のスペース（空間）を、任意に、多様に、自由に、区画してデザインすることが難しい。
【０００６】
また、特許文献２の組立式立体骨組構造は、建築現場、その他の作業現場において、組み立てて使用するものであり、店内において、組み立てて使用するディスプレイと異なるものである。すなわち、特許文献２の組立式立体骨組構造は、ディスプレイと比較して、重量が重く、かつ、形状が大型である。しかも、特許文献２の組立式立体骨組構造の構成部品の組立式立方体コネクタは、同一形状のコネクタ組立部材を３個用いて組み立ててなるものであるから、構造が複雑である。
【０００７】
本発明が解決しようとする課題は、商品陳列のスペース（空間）を、任意に、多様に、自由に、区画してデザインすることができ、しかも、構造が簡単である止部材およびディスプレイを提供することにある。
【課題を解決するための手段】
【０００８】
本発明のディスプレイ用の止部材は、商品陳列用ディスプレイを組み立てるための止部材であって、止部材には、ロッド棒を挿通する複数本のロッド棒挿通部と、ロッド棒をロッド棒挿通部の壁面に圧接して固定するねじ部材をねじ込む複数本のねじ孔部と、がそれぞれ設けられている、ことを特徴とする。
【０００９】
本発明のディスプレイ用の止部材は、商品陳列用ディスプレイを組み立てるための止部材であって、止部材には、板を挟む複数本の板挟み部と、板を板挟み部の壁面に圧接して固定するねじ部材をねじ込む複数本のねじ孔部と、がそれぞれ設けられている、ことを特徴とする。
【００１０】
本発明のディスプレイ用の止部材は、陳列用ディスプレイを組み立てるための止部材であって、止部材には、ロッド棒を挿通する１本または複数本のロッド棒挿通部と、板を挟む１本または複数本の板挟み部と、ロッド棒をロッド棒挿通部の壁面に圧接して固定するねじ部材をねじ込む複数本のねじ孔部、および、板を板挟み部の壁面に圧接して固定するねじ部材をねじ込む複数本のねじ孔部と、がそれぞれ設けられている、ことを特徴とする。
【００１１】
本発明のディスプレイは、前記の商品陳列用ディスプレイの止部材（請求項１に記載の商品陳列用ディスプレイの止部材）と、複数本のロッド棒と、複数本のねじ部材と、を備える、ことを特徴とする。
【００１２】
本発明のディスプレイは、前記の商品陳列用ディスプレイの止部材（請求項２に記載の商品陳列用ディスプレイの止部材）と、複数枚の板と、複数本のねじ部材と、を備える、ことを特徴とする。
【００１３】
本発明のディスプレイは、前記の商品陳列用ディスプレイの止部材（請求項３に記載の商品陳列用ディスプレイの止部材）と、１本または複数本のロッド棒と、１枚または複数枚の板と、複数本のねじ部材と、を備える、ことを特徴とする。
【発明の効果】
【００１４】
本発明は、商品陳列のスペース（空間）を、任意に、多様に、自由に、区画してデザインすることができ、しかも、構造が簡単である止部材およびディスプレイを提供することができる。
【図面の簡単な説明】
【００１５】
【図１】図１は、本発明の実施形態１に係る止部材および本発明の実施形態１に係るディスプレイの使用状態を示す一部斜視図である。
【図２】図２は、止部材およびディスプレイの使用状態を示す一部平面図（図１におけるＩＩ矢視図）である。
【図３】図３は、止部材およびディスプレイの使用状態を示す一部断面図（図１におけるＩＩＩ−ＩＩＩ線断面図）である。
【図４】図４は、止部材を示す断面図（図１におけるＩＩＩ−ＩＩＩ線断面図）である。
【図５】図５は、止部材およびディスプレイの使用状態を示す斜視図である。
【図６】図６は、止部材およびディスプレイの他の使用状態を示す側面図である。
【図７】図７は、本発明の実施形態２に係る止部材および本発明の実施形態１に係るディスプレイの使用状態を示す一部斜視図である。
【図８】図８は、止部材およびディスプレイの使用状態を示す一部平面図（図７におけるＶＩＩＩ矢視図）である。
【図９】図９は、本発明の実施形態３に係る止部材および本発明の実施形態１に係るディスプレイの使用状態を示す一部斜視図である。
【図１０】図１０は、止部材およびディスプレイの使用状態を示す一部断面図（図９におけるＸ−Ｘ線断面図）である。
【図１１】図１１は、本発明の実施形態４に係る止部材および本発明の実施形態１に係るディスプレイの使用状態を示す一部斜視図である。
【図１２】図１２は、止部材およびディスプレイの使用状態を示す一部断面図（図１１におけるＸＩＩ−ＸＩＩ線断面図）である。
【図１３】図１３は、止部材およびディスプレイの使用状態を示す斜視図である。
【図１４】図１４は、本発明の実施形態５に係る止部材および本発明の実施形態１に係るディスプレイの使用状態を示す一部斜視図である。
【図１５】図１５は、止部材およびディスプレイの使用状態を示す斜視図である。
【図１６】図１６（Ａ）（Ｂ）（Ｃ）は、商品陳列用パーツ（以下、「パーツ」と称する）を示す斜視図である。
【図１７】図１７は、本発明の実施形態６に係る止部材および本発明の実施形態２に係るディスプレイの使用状態を示す一部斜視図である。
【図１８】図１８は、本発明の実施形態７に係る止部材および本発明の実施形態３に係るディスプレイの使用状態を示す一部斜視図である。
【図１９】図１９は、本発明の実施形態８に係る止部材および本発明の実施形態３に係るディスプレイの使用状態を示す一部斜視図である。
【図２０】図２０は、本発明の実施形態９に係る止部材および本発明の実施形態３に係るディスプレイの使用状態を示す一部斜視図である。
【発明を実施するための形態】
【００１６】
以下、本発明に係る止部材の実施形態（実施例）の９例、および、本発明に係るディスプレイの実施形態（実施例）の３例について図面を参照しながら詳細に説明する。なお、図面は、概略図であるから、実物と若干異なる場合がある。
【００１７】
（実施形態１の止部材１およびディスプレイ１００の構成の説明）
図１〜図６は、本発明に係る止部材およびディスプレイの実施形態１を示す。以下、この実施形態１に係る止部材１およびディスプレイ１００の構成について説明する。
【００１８】
（ディスプレイ１００の説明）
この実施形態１に係るディスプレイ１００は、図１〜図３、図５、図６に示すように、複数個の止部材１と、複数本のロッド棒２と、複数本のねじ部材３と、基台４と、商品陳列棚５と、を備える。
【００１９】
ロッド棒２は、図１〜図３、図５、図６に示すように、直径約３ｍｍの断面円形の丸棒形状をなす。ロッド棒２の長さは、任意である。ロッド棒２としては、たとえば、金属製の丸棒を使用する。なお、ロッド棒２の大きさ、形状および材質などは、特に限定しない。たとえば、ロッド棒２としては、直径約３ｍｍの金属製の丸棒以外に、直径約４ｍｍ、約５ｍｍの丸棒、任意の寸法の角棒その他の形状の棒、あるいは、木製の棒、樹脂製の棒その他の材質の棒、寸法や大きさを限定しない棒であっても良い。また、ロッド棒２は、図１〜図３において、水平でかつ相互に直交するロッド棒を２Ｘ、２Ｙとし、垂直なロッド棒を２Ｚとする。
【００２０】
ねじ部材３は、図１〜図３、図５、図６に示すように、止部材１にロッド棒２を固定するための部材である。ねじ部材３としては、たとえば、ねじの呼び径（ｄ）がＭ３の六角穴付きの止ねじ（いわゆる、イモネジ）を使用する。なお、ねじ部材３の大きさ、種類および材質などは、特に限定しない。
【００２１】
基台４は、図５、図６に示すように、店内のたとえば床６やその他の場所に載置される。この基台４には、複数個の取付孔４０が設けられている。この取付孔４０には、ロッド棒２の一端が固定されている。基台４としては、たとえば、四角形の板を使用する。なお、基台４の大きさ、形状および材質などは、特に限定しない。
【００２２】
商品陳列棚５は、図６に示すように、複数個の止部材１、複数本のロッド棒２および複数本のねじ部材３により任意に組み立てられたディスプレイ１００の骨組みの任意の場所に載置される。この商品陳列棚５に商品が陳列される。商品陳列棚５としては、たとえば、透明な樹脂板を使用する。なお、商品陳列棚５の大きさ、形状および材質などは、特に限定しない。
【００２３】
（止部材１の説明）
この実施形態１に係る止部材１は、図１〜図６に示すように、ディスプレイ１００を組み立てるための部材である。止部材１としては、たとえば、金属製であって、１辺が約１５ｍｍの立方体形状をなす部材を使用する。また、止部材１の８個の角部は、面取りされている。なお、止部材１の大きさ、形状および材質などは、特に限定しない。
【００２４】
止部材１には、３本のロッド棒挿通部としての孔部１０と、３本のねじ孔部１１と、がそれぞれ設けられている。３本の孔部１０は、ロッド棒２を挿通する内径約３ｍｍの断面円形の透孔であって、相互にＸＹＺ方向に直交しかつねじれの位置関係にある。
３本のねじ孔部１１は、ロッド棒２を孔部１０の壁面に圧接して固定するねじ部材３をねじ込むためのねじ孔であって、３本の孔部１０に対してそれぞれ垂直であり、かつ、相互にねじれの位置関係にある。
【００２５】
（実施形態１の止部材１およびディスプレイ１００の作用の説明）
この実施形態１に係る止部材１およびディスプレイ１００は、以上のごとき構成からなり、以下、この実施形態１に係る止部材１およびディスプレイ１００の作用について説明する。
【００２６】
まず、止部材１の３本の孔部１０のうち任意の孔部１０中にロッド棒２を挿通する。この時、１個の止部材１に対して、１本、２本または３本のロッド棒２を挿通する。つぎに、ロッド棒２を挿通した孔部１０に対応するねじ孔部１１にねじ部材３をねじ込んで、ロッド棒２を孔部１０の壁面に圧接する。この結果、ロッド棒２は、ねじ部材３を介して、止部材１に固定される。
【００２７】
以下、同様にして、ロッド棒２をねじ部材３を介して止部材１に固定して、ディスプレイ１００の骨組みを構成する。なお、ディスプレイ１００の骨組みを構成する前、構成中、あるいは、構成後に、図５に示すように、ロッド棒２を基台４の取付孔４０に固定する。また、図６に示すように、ディスプレイ１００の骨組みに商品陳列棚５を取り付ける。これにより、ディスプレイ１００が完成して、商品陳列棚５に商品を陳列させることができる。
【００２８】
ここで、止部材１の孔部１０は、断面円形の透孔であり、一方、ロッド棒２は、丸棒である。このために、ロッド棒２をねじ部材３を介して止部材１に固定する時に、止部材１をロッド棒２の中心回りに回転させることができる。これにより、図６に示すように、ロッド棒２を、相互に直交する３方向（ＸＹＺ方向）以外の斜め方向に、配置することができる。
【００２９】
（実施形態１の止部材１およびディスプレイ１００の効果の説明）
この実施形態１に係る止部材１およびディスプレイ１００は、以上のごとき構成、作用からなり、以下、この実施形態１に係る止部材１およびディスプレイ１００の効果について説明する。
【００３０】
この実施形態１に係る止部材１およびディスプレイ１００は、ロッド棒２をねじ部材３を介して止部材１に固定する時に、ロッド棒２を、相互に直交する３方向（ＸＹＺ方向）および斜め方向に、配置することができる。この結果、この実施形態１に係る止部材１およびディスプレイ１００は、商品陳列のスペース（空間）を、任意に、多様に、自由に、区画してデザインすることができる。これにより、この実施形態１に係る止部材１およびディスプレイ１００は、商品陳列用のディスプレイとして、高価値が得られる。
【００３１】
しかも、この実施形態１に係る止部材１は、立方体形状をなす部材に、３本の孔部１０と３本のねじ孔部１１とをそれぞれ設けてなるものであるから、構造が簡単である。一方、この実施形態１に係るディスプレイ１００は、複数個の止部材１と、複数本のロッド棒２と、複数本のねじ部材３と、基台４と、商品陳列棚５と、を備えるものであるから、構造が簡単である。
【００３２】
（実施形態２の止部材１Ａの構成、作用、効果の説明）
図７、図８は、本発明に係る止部材の実施形態２を示す。以下、この実施形態２に係る止部材１Ａの構成、作用、効果について説明する。図中、図１〜図６と同符号は、同一の物を示す。
【００３３】
前記の実施形態１に係る止部材１は、３本の孔部１０を、相互にＸＹＺ方向に直交しかつねじれの位置関係にあるように設けたものである。これに対して、この実施形態２に係る止部材１Ａは、３本の孔部１０の他に、対角線上の孔部１０を設けたものである。この対角線上の孔部１０は、ＸＹＺ方向の３本の孔部１０に対して、ねじれの位置関係にある。
【００３４】
この実施形態２に係る止部材１Ａは、対角線上の孔部１０を設けたものであるから、この対角線上の孔部１０中にロッド棒２（２Ｗ）を挿通させると、ロッド棒２（２Ｗ）を対角線方向に配置することができる。これにより、この実施形態２に係る止部材１Ａは、前記の実施形態１に係る止部材１の図６の使用状態とほぼ同様に、ロッド棒２を、３方向（ＸＹＺ方向）と対角線方向（Ｗ方向）とに、配置することができる。この結果、この実施形態２に係る止部材１Ａは、前記の実施形態１に係る止部材１と同様の効果を達成することができる。
【００３５】
（実施形態３の止部材１Ｂの構成、作用、効果の説明）
図９、図１０は、本発明に係る止部材の実施形態３を示す。以下、この実施形態３に係る止部材１Ｂの構成、作用、効果について説明する。図中、図１〜図８と同符号は、同一の物を示す。
【００３６】
前記の実施形態１に係る止部材１は、３本の孔部１０を、相互にＸＹＺ方向に直交しかつねじれの位置関係にあるように設けたものであり、また、前記の実施形態２に係る止部材１Ａは、３本の孔部１０の他に、対角線上の孔部１０を設けたものである。これに対して、この実施形態３に係る止部材１Ｂは、３本の孔部１０の他に、２本のねじ孔１２を設けたものである。この２本のねじ孔１２のうちの１本のねじ孔１２は、Ｘ方向の孔部１０に対して、Ｚ方向の下側において間を開けて平行に設けられている。また、この２本のねじ孔１２のうちの他の１本のねじ孔１２は、Ｙ方向の孔部１０に対して、Ｚ方向の上側において間を開けて平行に設けられている。
また、この実施形態３に係る止部材１Ｂにおいては、通常のロッド棒２の他に、ねじ付のロッド棒２０が使用される。このねじ付のロッド棒２０は、一端にねじ部２１が設けられている。
【００３７】
この実施形態３に係る止部材１Ｂは、以上のごとき構成からなるので、２本のねじ付のロッド棒２０のねじ部２１を２本のねじ孔１２にねじ込むと、２本のねじ付のロッド棒２０（２０Ｘ、２０Ｙ）を２方向（Ｘ、Ｙ方向）に配置することができる。これにより、この実施形態３に係る止部材１Ｂは、３本のロッド棒２を３方向（ＸＹＺ方向）に配置すると共に、２本のねじ付のロッド棒２０（２０Ｘ、２０Ｙ）をＸ方向のロッド棒２（２Ｘ）およびＹ方向のロッド棒２（２Ｙ）に対して平行に配置することができる。この結果、この実施形態３に係る止部材１Ｂは、前記の実施形態１、２に係る止部材１、１Ａと同様の効果を達成することができる。
【００３８】
（実施形態４の止部材１Ｃの構成、作用、効果の説明）
図１１〜図１３は、本発明に係る止部材の実施形態４を示す。以下、この実施形態４に係る止部材１Ｃの構成、作用、効果について説明する。図中、図１〜図１０と同符号は、同一の物を示す。
【００３９】
前記の実施形態１〜３に係る止部材１〜１Ｂは、立方体形状をなすものである。これに対して、この実施形態４に係る止部材１Ｃは、直方体形状をなすものである。なお、図示されていないが、止部材１Ｃの８個の角部を面取りしても良い。
止部材１Ｃには、３本の孔部１０が設けられている。１本の孔部１０は、止部材１Ｃの中央部にＹ方向に設けられている。他の２本の孔部１０は、止部材１Ｃの両端部にＺ方向に相互に平行に設けられている。
また、止部材１Ｃには、３本のねじ孔部１１が設けられている。１本のねじ孔部１１は、止部材１Ｃの中央部にＺ方向に設けられている。他の２本のねじ孔部１１は、止部材１Ｃの両端部にＸ方向に設けられている。
【００４０】
この実施形態４に係る止部材１Ｃにおいては、通常のロッド棒２すなわち形状が直線状のロッド棒２の他に、形状が直線状と異なる形状すなわち異形のロッド棒２２、２３、２４、２５が使用される。
第１異形のロッド棒２２は、両端が同方向に垂直に湾曲し、両端の幅が狭い形状をなす。
第２異形のロッド棒２３は、両端が同方向に垂直に湾曲し、両端の幅が広い形状をなす。
第３異形のロッド棒２４は、中央部分が大きく湾曲し、一端部分（上端部分）がほぼ垂直に延設し、他端部分（下端部分）が垂直やや大きく湾曲した形状をなす。
第４異形のロッド棒２５は、両端が同方向に垂直に湾曲し、中央部分が波形状をなす。
【００４１】
この実施形態４に係る止部材１Ｃは、以上のごとき構成からなるので、複数個の止部材１Ｃの３本の孔部１０中に、通常のロッド棒２および異形のロッド棒２２〜２５の両端を挿通し、ねじ部材３をねじ込むと、図１３に示すようなディスプレイ１００の骨組みを構成することができる。この結果、この実施形態４に係る止部材１Ｃは、前記の実施形態１〜３に係る止部材１〜１Ｂと同様の効果を達成することができる。
【００４２】
（実施形態５の止部材１Ｄの構成、作用、効果の説明）
図１４、図１５は、本発明に係る止部材の実施形態５を示す。以下、この実施形態５に係る止部材１Ｄの構成、作用、効果について説明する。図中、図１〜図１３と同符号は、同一の物を示す。
【００４３】
前記の実施形態１〜３に係る止部材１〜１Ｂは、立方体形状をなし、また、前記の実施形態４に係る止部材１Ｃは、直方体形状をなすものである。これに対して、この実施形態５に係る止部材１Ｄは、球形状をなすものである。
【００４４】
この実施形態５に係る止部材１Ｄにおいては、第１のパーツ５１が使用される。この第１のパーツ５１は、ロッド棒部５１０と、ロッド棒部５１０の一端に設けられた円板形状の商品陳列部５１１と、からなる。
【００４５】
この実施形態５に係る止部材１Ｄは、以上のごとき構成からなるので、複数個の止部材１Ｄおよび前記の実施形態１の止部材１の３本の孔部１０中に、ロッド棒２および第１のパーツ５１のロッド棒部５１０を挿通し、ねじ部材３をねじ込むと、図１５に示すようなディスプレイ１００の骨組みを構成することができる。この結果、この実施形態５に係る止部材１Ｄは、前記の実施形態１〜４に係る止部材１〜１Ｃと同様の効果を達成することができる。
【００４６】
（パーツ５２、５３、５４の説明）
図１６（Ａ）、（Ｂ）、（Ｃ）は、本発明の止部材およびディスプレイに使用されるパーツ５２、５３、５４を示す。
【００４７】
図１６（Ａ）に示す第２のパーツ５２は、ロッド棒部５２０と、ロッド棒部５２０の一端に設けられた半円形形状の商品陳列部５２１と、からなる。
図１６（Ｂ）に示す第３のパーツ５３は、ロッド棒部５３０と、ロッド棒部５２０に移動可能に嵌合されていてかつねじ部材３により固定される円筒部５３１と、円筒部５３１に設けられたフック形状の商品陳列部５３２と、からなる。なお、図１６（Ｂ）においては、２個の円筒部５３１および商品陳列部５３２が図示されているが、円筒部５３１および商品陳列部５３２の個数は、１個でも、３個以上でも良い。
図１６（Ｃ）に示す第４のパーツ５４は、ロッド棒部５４０と、ロッド棒部５４０に設けられたフック形状の複数本の商品陳列部５４１と、からなる。
【００４８】
（実施形態６の止部材１Ｅおよび実施形態２のディスプレイ１００Ａの説明）
図１７は、本発明に係る止部材の実施形態６およびディスプレイの実施形態２を示す。以下、この実施形態６に係る止部材１Ｅおよび実施形態２のディスプレイ１００Ａについて説明する。図中、図１〜図１６と同符号は、同一の物を示す。
【００４９】
（ディスプレイ１００Ａの構成の説明）
この実施形態２に係るディスプレイ１００Ａは、図１７に示すように、実施形態６に係る止部材１Ｅと、複数枚この例では２枚の板７と、複数本のねじ部材３と、を備える。板７の厚さは、この例では、約３ｍｍである。なお、板７の大きさ、形状および材質などは、特に限定しない。
【００５０】
（止部材１Ｅの構成の説明）
図１７に示すように、この実施形態６に係る止部材１Ｅには、２本の板挟み部としての溝部１３と、４本のねじ孔部と、がそれぞれ設けられている。２本の溝部１３は、板７の縁を挟むものであって、垂直方向と水平方向とにそれぞれ別個に設けられている。４本のねじ孔部のうち２本のねじ孔部は、垂直方向の溝部１３に対して、垂直にすなわち水平方向に設けられている。また、４本のねじ孔部のうち他の２本のねじ孔部は、水平方向の溝部１３に対して、垂直にすなわち垂直方向に設けられている。
【００５１】
（止部材１Ｅおよびディスプレイ１００Ａの作用の説明）
止部材１Ｅの２本の溝部１３中に２枚の板７をそれぞれ差し込む。ついで、４本のねじ部材３をねじ込んで、２枚の板７をそれぞれ止部材１Ｅに固定する。以下、同様にして、複数個の止部材１Ｅに複数枚の板７を複数本のねじ部材３で固定する。これにより、ディスプレイ１００Ａの骨組みが構成される。
【００５２】
（止部材１Ｅおよびディスプレイ１００Ａの効果の説明）
止部材１Ｅおよびディスプレイ１００Ａは、以上のごとき構成、作用からなるので、前記の実施形態１〜５に係る止部材１〜１Ｄおよび前記の実施形態１に係るディスプレイ１００と、同様の効果を達成することができる。
【００５３】
（実施形態７の止部材１Ｆおよび実施形態３のディスプレイ１００Ｂの説明）
図１８は、本発明に係る止部材の実施形態７およびディスプレイの実施形態３を示す。以下、この実施形態７に係る止部材１Ｆおよび実施形態３のディスプレイ１００Ｂについて説明する。図中、図１〜図１７と同符号は、同一の物を示す。
【００５４】
（ディスプレイ１００Ｂの構成の説明）
この実施形態３に係るディスプレイ１００Ｂは、図１８に示すように、実施形態７に係る止部材１Ｆと、複数本この例では１本のロッド棒２と、複数枚この例では２枚の板７と、複数本のねじ部材３と、を備える。
【００５５】
（止部材１Ｆの構成の説明）
図１８に示すように、この実施形態７に係る止部材１Ｆには、１本のロッド棒挿通部としての孔部１０と、２本の板挟み部としての溝部１３と、５本もしくは６本のねじ孔部と、がそれぞれ設けられている。１本の孔部１０は、水平方向に設けられている。２本の溝部１３は、垂直方向と水平方向とにそれぞれ別個に設けられている。５本もしくは６本のねじ孔部のうち１本もしくは２本のねじ孔部は、孔部１０に対して、垂直にすなわち垂直方向または水平方向に設けられている。また、５本もしくは６本のねじ孔部のうち他の２本のねじ孔部は、垂直方向の溝部１３に対して、垂直にすなわち水平方向に設けられている。さらに、５本もしくは６本４本のねじ孔部のうち残りの２本のねじ孔部は、水平方向の溝部１３に対して、垂直にすなわち垂直方向に設けられている。
【００５６】
（止部材１Ｆおよびディスプレイ１００Ｂの作用の説明）
止部材１Ｆの１本の孔部１０中に１本のロッド棒２を挿通し、かつ、止部材１Ｆの２本の溝部１３中に２枚の板７をそれぞれ差し込む。ついで、５本もしくは６本のねじ部材３をねじ込んで、１本のロッド棒２および２枚の板７をそれぞれ止部材１Ｆに固定する。なお、図１８において、２枚の板７を固定する４本のねじ部材３が図示されているが、ロッド棒２を固定する１本もしくは２本のねじ部材は図示されていない。以下、同様にして、複数個の止部材１Ｆに複数本のロッド棒２および複数枚の板７を複数本のねじ部材３で固定する。これにより、ディスプレイ１００Ｂの骨組みが構成される。
【００５７】
（止部材１Ｆおよびディスプレイ１００Ｂの効果の説明）
止部材１Ｆおよびディスプレイ１００Ｂは、以上のごとき構成、作用からなるので、前記の実施形態１〜６に係る止部材１〜１Ｅおよび前記の実施形態１、２に係るディスプレイ１００、１００Ａと、同様の効果を達成することができる。
【００５８】
（実施形態８の止部材１Ｇの構成、作用、効果の説明）
図１９は、本発明に係る止部材の実施形態８を示す。以下、この実施形態８に係る止部材１Ｇの構成、作用、効果について説明する。図中、図１〜図１８と同符号は、同一の物を示す。
【００５９】
この実施形態８に係る止部材１Ｇには、１本のロッド棒挿通部としての溝部１３が水平方向に設けられていて、かつ、１本の板挟み部としての溝部１３が垂直方向に設けられている。また、この実施形態８に係る止部材１Ｇには、２本のねじ孔が水平方向の溝部１３に対して垂直にすなわち垂直方向に設けられていて、かつ、２本のねじ孔が垂直方向の溝部１３に対して垂直にすなわち水平方向に設けられている。
【００６０】
止部材１Ｇの水平方向の溝部１３中に１本のロッド棒２を挿通し、かつ、止部材１Ｇの垂直方向の溝部１３中に１枚の板７を差し込む。ついで、４本のねじ部材３をねじ込んで、１本のロッド棒２および１枚の板７をそれぞれ止部材１Ｇに固定する。以下、同様にして、複数個の止部材１Ｇに複数本のロッド棒２および複数枚の板７を複数本のねじ部材３で固定する。これにより、ディスプレイ１００Ｂの骨組みが構成される。この結果、この実施形態８に係る止部材１Ｇは、前記の実施形態７に係る止部材１Ｆと同様の効果を達成することができる。
【００６１】
（実施形態９の止部材１Ｈの構成、作用、効果の説明）
図２０は、本発明に係る止部材の実施形態９を示す。以下、この実施形態９に係る止部材１Ｈの構成、作用、効果について説明する。図中、図１〜図１９と同符号は、同一の物を示す。
【００６２】
この実施形態９に係る止部材１Ｈには、１本のロッド棒挿通部としての孔部１０が垂直方向に設けられていて、かつ、１本の板挟み部としての溝部１３が垂直方向に設けられている。また、この実施形態９に係る止部材１Ｈには、２本のねじ孔が孔部１０に対して垂直にすなわち水平方向に設けられていて、かつ、２本のねじ孔が溝部１３に対して垂直にすなわち水平方向に設けられている。
【００６３】
止部材１Ｇの水平方向の溝部１３中に１本のロッド棒２を挿通し、かつ、止部材１Ｇの垂直方向の溝部１３中に１枚の板７を差し込む。ついで、４本のねじ部材３をねじ込んで、１本のロッド棒２および１枚の板７をそれぞれ止部材１Ｇに固定する。なお、図２０において、板７を固定する２本のねじ部材３が図示されているが、ロッド棒２を固定する２本のねじ部材は図示されていない。以下、同様にして、複数個の止部材１Ｈに複数本のロッド棒２および複数枚の板７を複数本のねじ部材３で固定する。これにより、ディスプレイ１００Ｂの骨組みが構成される。この結果、この実施形態９に係る止部材１Ｈは、前記の実施形態７、８に係る止部材１Ｆ、１Ｇと同様の効果を達成することができる。
【００６４】
（実施形態１以外の例の説明）
なお、前記の実施形態においては、図面に示す止部材１〜１Ｈについて説明するものである。しかしながら、本発明においては、図面に示す止部材１〜１Ｈ以外の止部材であっても良い。
たとえば、止部材の形状は、立方体形状、直方体形状、球形状以外の形状であっても良い。
また、止部材の孔部１０、ねじ孔部１１、ねじ孔１２および溝部１３の本数は、前記の実施形態の本数に限定されない。
さらに、止部材の孔部１０、ねじ孔部１１、ねじ孔１２および溝部１３の設ける方向は、前記の実施形態の方向に限定されない。
【００６５】
また、前記の実施形態においては、図面に示すディスプレイ１００〜１００Ｂについて説明するものである。しかしながら、本発明においては、図面に示すディスプレイ１００〜１００Ｂ以外のディスプレイであっても良い。
たとえば、図面に示す止部材１〜１Ｈ、ロッド棒２、２０、２２〜２５、ねじ部材３、基台４、商品陳列棚５、パーツ５１〜５４および板７を任意に組み合わせても良い。
また、図面に示す以外の止部材、ロッド棒、ねじ部材、基台、商品陳列棚、パーツおよび板をも任意に組み合わせても良い。
【００６６】
なお、本発明は、前記の実施形態により限定されるものではない。
【符号の説明】
【００６７】
１、１Ａ、１Ｂ、１Ｃ、１Ｄ、１Ｅ、１Ｆ、１Ｇ、１Ｈ…止部材（商品陳列用ディスプレイの止部材）
１０…孔部（ロッド棒挿通部）
１１…ねじ孔部
１２…ねじ孔
１３…溝部（ロッド棒挿通部、板挟み部）
２、２Ｘ、２Ｙ、２Ｚ、２Ｗ…ロッド棒
２０…ロッド棒（ねじ付のロッド棒）
２１…ねじ部
２２、２３、２４、２５…ロッド棒（異形のロッド棒）
３…ねじ部材
４…基台
４０…取付孔
５…商品陳列棚
５１、５２、５３、５４…パーツ（商品陳列用パーツ）
５１０、５２０、５３０…ロッド棒部
５１１、５２１、５３２…商品陳列部
５３１…円筒部
６…床
７…板
１００、１００Ａ、１００Ｂ…ディスプレイ（商品陳列用ディスプレイ）
Ｘ…Ｘ方向
Ｙ…Ｙ方向
Ｚ…Ｚ方向
【図１】
2019097693.tif 000003
【図２】
2019097693.tif 000004
【図３】
2019097693.tif 000005
【図４】
2019097693.tif 000006
【図５】
2019097693.tif 000007
【図６】
2019097693.tif 000008
【図７】
2019097693.tif 000009
【図８】
2019097693.tif 000010
【図９】
2019097693.tif 000011
【図１０】
2019097693.tif 000012
【図１１】
2019097693.tif 000013
【図１２】
2019097693.tif 000014
【図１３】
2019097693.tif 000015
【図１４】
2019097693.tif 000016
【図１５】
2019097693.tif 000017
【図１６】
2019097693.tif 000018
【図１７】
2019097693.tif 000019
【図１８】
2019097693.tif 000020
【図１９】
2019097693.tif 000021
【図２０】
2019097693.tif 000022
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
商品陳列用ディスプレイを組み立てるための止部材であって、
前記止部材には、ロッド棒を挿通する３本のロッド棒挿通部と、前記ロッド棒を前記ロッド棒挿通部の壁面に圧接して固定するねじ部材をねじ込む３本のねじ孔部と、がそれぞれ設けられていて、
３本の前記ロッド棒挿通部は、相互にＸＹＺ方向に直交しかつねじれの位置関係にあり、
３本の前記ねじ孔部は、３本の前記ロッド棒挿通部に対してそれぞれ垂直であり、かつ、相互にねじれの位置関係にある、
ことを特徴とする商品陳列用ディスプレイの止部材。
【請求項２】
前記止部材には、３本の前記ロッド棒挿通部の他に、対角線上のロッド棒挿通部が設けられていて、
前記対角線上のロッド棒挿通部は、ＸＹＺ方向の３本の前記ロッド棒挿通部に対して、ねじれの位置関係にある、
ことを特徴とする請求項１に記載の商品陳列用ディスプレイの止部材。
【請求項３】
前記止部材には、３本の前記ロッド棒挿通部の他に、２本のねじ孔が設けられていて、 ２本の前記ねじ孔のうちの１本の前記ねじ孔は、Ｘ方向の前記ロッド棒挿通部に対して、Ｚ方向の下側において間を開けて平行に設けられていて、
２本の前記ねじ孔のうちの他の１本の前記ねじ孔は、Ｙ方向の前記ロッド棒挿通部に対して、Ｚ方向の上側において間を開けて平行に設けられている、
ことを特徴とする請求項１に記載の商品陳列用ディスプレイの止部材。
【請求項４】
複数個の前記の請求項１〜３のいずれか１項に記載の商品陳列用ディスプレイの止部材と、
３本以上のロッド棒と、
３本以上のねじ部材と、
を備える、
ことを特徴とする商品陳列用ディスプレイ。
【手続補正２】
【補正対象書類名】明細書
【補正対象項目名】０００８
【補正方法】変更
【補正の内容】
【０００８】
本発明のディスプレイ用の止部材は、商品陳列用ディスプレイを組み立てるための止部材であって、止部材には、ロッド棒を挿通する３本のロッド棒挿通部と、ロッド棒をロッド棒挿通部の壁面に圧接して固定するねじ部材をねじ込む３本のねじ孔部と、がそれぞれ設けられていて、３本のロッド棒挿通部が、相互にＸＹＺ方向に直交しかつねじれの位置関係にあり、３本のねじ孔部が、３本のロッド棒挿通部に対してそれぞれ垂直であり、かつ、相互にねじれの位置関係にある、ことを特徴とする。
【手続補正３】
【補正対象書類名】明細書
【補正対象項目名】０００９
【補正方法】変更
【補正の内容】
【０００９】
本発明のディスプレイ用の止部材は、３本のロッド棒挿通部の他に、対角線上のロッド棒挿通部が設けられていて、対角線上のロッド棒挿通部が、ＸＹＺ方向の３本のロッド棒挿通部に対して、ねじれの位置関係にある、ことを特徴とする。
【手続補正４】
【補正対象書類名】明細書
【補正対象項目名】００１０
【補正方法】変更
【補正の内容】
【００１０】
本発明のディスプレイ用の止部材は、３本のロッド棒挿通部の他に、２本のねじ孔が設けられていて、２本のねじ孔のうちの１本のねじ孔が、Ｘ方向のロッド棒挿通部に対して、Ｚ方向の下側において間を開けて平行に設けられていて、２本のねじ孔のうちの他の１本のねじ孔が、Ｙ方向のロッド棒挿通部に対して、Ｚ方向の上側において間を開けて平行に設けられている、ことを特徴とする。
【手続補正５】
【補正対象書類名】明細書
【補正対象項目名】００１１
【補正方法】変更
【補正の内容】
【００１１】
本発明のディスプレイは、複数個の前記の商品陳列用ディスプレイの止部材（請求項１〜３のいずれか１項に記載の商品陳列用ディスプレイの止部材）と、３本以上のロッド棒と、３本以上のねじ部材と、を備える、ことを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００６４
【補正方法】変更
【補正の内容】
【００６４】
（実施形態以外の例の説明）
なお、前記の実施形態においては、図面に示す止部材１〜１Ｈについて説明するものである。しかしながら、本発明においては、図面に示す止部材１〜１Ｈ以外の止部材であっても良い。
たとえば、止部材の形状は、立方体形状、直方体形状、球形状以外の形状であっても良い。
また、止部材の孔部１０、ねじ孔部１１、ねじ孔１２および溝部１３の本数は、前記の実施形態の本数に限定されない。
さらに、止部材の孔部１０、ねじ孔部１１、ねじ孔１２および溝部１３の設ける方向は、前記の実施形態の方向に限定されない。